(57)【特許請求の範囲】
【請求項１】
ほぼ円筒状の第１の関節面（Ｓ１）を形成する上腕骨側部材（１０）と、前記第１の関節面の一部のまわりに配置された第２の関節面（Ｓ２）を形成し、前記第１の関節面の長手方向軸（Ｘ１）を中心として回転するための尺骨側部材（２０）とを有する人工肘であって、前記尺骨側部材（２０）はロック部材（３０）を取り付けるための取付手段（２５，３６）を有し、前記ロック部材（３０）は前記第２の関節面（Ｓ２）の延長であって前記第１の関節面（Ｓ１）のまわりに配置される第３の関節面（Ｓ３）を形成しており、前記第２及び第３の関節面（Ｓ２，Ｓ３）は、前記第１の関節面の横方向断面において、前記第１の関節面のまわりに１８０゜以上の範囲で延びている人工肘。
【請求項２】
前記第２及び第３の関節面（Ｓ２，Ｓ３）は前記第１の関節面（Ｓ１）のまわりに１９０゜〜３６０゜の間、好ましくは２２５゜〜３１５゜の間、さらに好ましくは２７０゜程度の角度（β）にわたって延びている請求項１の人工肘。
【請求項３】
前記第１の関節面（Ｓ１）は細長部材（１６）に形成されており、当該人工肘は複数の細長部材（１６）及び／もしくは固定のための複数のロッド（１１）を有しており、前記細長部材と前記ロッドとは互いに組み付けられて、前記細長部材の長手方向軸（Ｘ１）の前記ロッドの軸（Ｘ３）に対する様々な異なる位置（ｄ'）が得られ、それにより前記上腕骨側部材（１０）を患者の体型に応じた位置に固定できる請求項１もしくは２の人口肘。
【請求項４】
前記ロッド（１１）にはタブ（１２，１３）が固定されており、前記細長部材（１６）及び前記タブには前記細長部材を前記タブに取り付けるための軸（１４）を受け入れる穴（１２ａ，１３ａ，１６ａ）が設けられており、前記細長部材の前記穴と前記タブの前記穴との相対位置が患者の体型に適合される請求項３の人工肘。
【請求項５】
前記ロッド（１１）と前記第１の関節面（Ｓ１）を形成する細長部材（１６）とは互いに対して固定されて、一体構造となっており、当該人工肘は様々な形状の複数の細長部材・ロッド組を有している請求項４の人工肘。
【請求項６】
前記尺骨側部材（２０）と前記ロック部材（３０）とは自由端（２０ａ，３０ａ）を有しており、これらの自由端間の距離（ｄ）は、前記ロック部材を前記尺骨側部材に取り付けた状態において、前記第１の関節面（Ｓ１）の最小直径（Ｄ）よりも小さい請求項１〜５のいずれかの人工肘。
【請求項７】
前記取付手段は前記ロック部材（３０）に設けられたハウジング（３５）に係合するネジ（３６）を受け入れる少なくとも一つのタップ穴（２５）或いは前記ロック部材に設けられた対応するタップ穴に螺合するネジを受け入れるハウジングを有している請求項１〜６のいずれかの人工肘。
【請求項８】
前記第１の関節面（Ｓ１）は凹状の母線（Ｇ１）を有し、前記第２及び第３の関節面（Ｓ２，Ｓ３）は、前記第１の関節面の軸（Ｘ１）に平行な断面において、凸状の母線（Ｇ２）を有している請求項１〜７のいずれかの人工肘。
【請求項９】
前記第１の関節面（Ｓ１）はとう骨側部材（４０）に当接するためのほぼ凸状の第４の関節面（Ｓ４）につながって延びている請求項１〜８のいずれかの人工肘。
【請求項１０】
前記関節面（Ｓ１，Ｓ２，Ｓ３）の間に、これらの関節面の直径（Ｄ１，Ｄ２）の差及び／もしくはこれらの面の母線（Ｇ１，Ｇ２）の曲率半径（Ｒ１，Ｒ２）の差によって、作用隙間（Ｊ、Ｊ'）が形成されている請求項１〜９のいずれかの人工肘。
【請求項１１】
前記尺骨側部材（２０）及び／もしくは前記ロック部材（３０）は補強部材（２２，３２）とライニング（２３，３３）とを有しており、該ライニングは前記補強部材の横方向のフィン（２２ａ）とこれを覆う戻り部分（２３ａ）との形状協働によって前記補強部材に取り付けられている請求項１〜１０のいずれかの人工肘。
【請求項１２】
前記第１の関節面（Ｓ１）の前記長手方向の軸（Ｘ１）の近傍でかつこれと平行に、縫合糸の通過のための少なくとも１つの穴（１４ａ）が設けられている請求項１〜１１のいずれかの人工肘。
【発明の詳細な説明】
【０００１】
【発明の属する技術分野】
この発明は少なくとも一つの上腕骨側部材と少なくとも一つの尺骨側部材とを有する人工器官すなわち人工肘に関する。
【０００２】
【従来の技術】
関節隙間及び上腕骨側部材と尺骨側部材とを互いに連結する態様に応じて、主として以下の２つのタイプの人工器官が使い分けられている。
【０００３】
・ヒンジ機構を有する人工器官
この器官では上腕骨側部材と尺骨側部材とに整列状で設けられた穴に導入される共通のヒンジピンが設けられている。この器官の組み付け態様を考慮すると、関節面を規定するヒンジピンは直線状の母線を有している必要が有り、これは滑車の本来の関節面とは大きく異なっている。このようなヒンジ機構によって良好な安定性と関節の矢状面内における回転とが許容されるが、内反−外反運動のような横方向の運動や尺骨側の軸方向の回転は不可能である。このような運動を可能とするためにはヒンジにかなりの半径方向隙間を設けねばならず、これは関節面の早期の摩耗につながる。
【０００４】
・スライド式の人工器官
この器官は特にアメリカ合衆国特許第4,242,758号において周知であり、そこでは、尺骨側部材がほぼ円筒状の上腕骨側関節面に当接する。このような器官では横方向の動きは許容されるが、矢状面に直角及び／もしくは平行な動きは不安定となり、肘を曲げたときに脱臼や、パラシティック運動（parasitic movement)につながる横方向の不安定を生じるリスクが大きい。
【０００５】
【発明が解決しようとする課題】
本発明はこれらの欠点を克服して、内反−外反運動のような或る程度の横方向の動きを許容しつつ、周知のスライド式の人工器官よりも安定性が非常に大きい人工肘を提供することを目的とする。
【０００６】
【課題を解決するための手段】
上記課題を解決するため、本発明はほぼ円筒状の第１の関節面を形成する上腕骨側部材と、前記第１の関節面の一部のまわりに配置された第２の関節面を形成し、前記第１の関節面の長手方向軸を中心として回転するための尺骨側部材とを有する人工肘であって、前記尺骨側部材はロック部材を取り付けるための取付手段を有し、前記ロック部材は前記第２の関節面の延長であって前記第１の関節面のまわりに配置される第３の関節面を形成しており、前記第２及び第３の関節面は、前記第１の関節面の横方向断面において、前記第１の関節面のまわりに１８０゜以上の範囲で延びている人工肘である。
【０００７】
本発明によれば、尺骨側部材及びロック部材の第２及び第３の関節面によって第１の関節面を取り囲んで包み込むことができ、これによって、関節の脱臼のリスクを排除することができる。関節面の形状は自然の関節面に近似するように選択でき、特に、ヒンジタイプの人工器官においてこれまで採用されていた直線状の母線を有する円筒面に限るものではない。事実、第１の関節面の円筒状とは母線の一つの軸まわりの回転によってできる形状であり、その母線は直線である必要はなく、凹状であることができ、これによって滑車の自然形態に最も良く近づくことができる。
【０００８】
本発明の有利な実施形態において、人工肘は以下の特徴のうちの１つもしくは複数を採用している。
【０００９】
・第２及び第３の関節面は第１の関節面のまわりに１９０゜〜３６０゜の間、好ましくは２２５゜〜３１５゜の間、さらに好ましくは２７０゜程度の角度にわたって延びている。
【００１０】
・ロッドの長手方向軸に対する第１の関節面の長手方向軸の位置を調節して、患者の体型に応じて前記尺骨側部材を固定するための手段を有する。
実際上、骨の寸法とは無関係に、滑車は上腕骨の長手方向軸に対し、矢状面の面内において多かれ少なかれ前方に位置しており、このような形態学的偏位ずれは人工肘には現在まで考慮されていなかった。本発明の人工肘は配置するときにこのような偏位を考慮することを可能としたものである。特に、第１の関節面は細長部材によって形成されており、ロッドにはタブが固定されており、細長部材及びタブには細長部材を取り付けるための軸を受け入れる穴が設けられており、細長部材の穴とタブの穴との相対位置が患者の体型に適合されるように構成することができる。例えば、人工肘は複数の細長部材及び／もしくは複数のロッドを有しており、これらの細長部材とロッドとは互いに組み付けられて、細長部材の長手方向軸のロッドの軸に対する様々な異なる位置が得られるように構成することができる。他の実施形態において、ロッドと第１の関節面を形成する細長部材とは互いに対して固定されて、一体構造となっており、当該人工肘は所定のサイズの上腕骨のための様々な形状の複数の細長部材・ロッド組を有している。これによって、外科医は人工肘を配置するときに、患者の体型に応じた細長部材・ロッド組を選択することができる。
【００１１】
・尺骨側部材とロック部材とは自由端を有しており、これらの自由端間の距離は、ロック部材を尺骨側部材に取り付けた状態において、第１の関節面の最小直径よりも小さい。
この構成によって、尺骨側部材とロック部材とにより形成される組立体は第１の関節面から外れることができなくなる。
【００１２】
・取付手段はロック部材に設けられたハウジングに係合するネジを受け入れる少なくとも一つのタップ穴或いは前記ロック部材に設けられた対応するタップ穴に螺合するネジを受け入れるハウジングを有している。
【００１３】
・第１の関節面は凹状の母線を有し、第２及び第３の関節面は、第１の関節面の軸に平行な断面において、凸状の母線を有している。このような構成によって、内反−外反運動の軸が必ず尺骨側部材内に位置することとなり、これによって、人工肘により良好な横方向安定性を与えることができる。これは内反−外反運動の軸が、極限的な状態では、上腕骨側部材を形成するボビン内に位置する周知のアメリカ合衆国特許第4,242,758号の構造に対して特に優れている。
【００１４】
・第１の関節面はとう骨側部材に当接するためのほぼ凸状の第４の関節面につながって延びている。
この構成によって、完全な人工肘を製造できる。
【００１５】
・上記関節面の間に、これらの関節面の直径の差及び／もしくはこれらの面の母線の曲率半径の差によって、作用隙間が形成されている。
【００１６】
・尺骨側部材及び／もしくはロック部材は補強部材とライニングとを有しており、該ライニングは補強部材の横方向のフィンとこれを覆う戻り部分との形状協働によって補強部材に取り付けられている。
【００１７】
・第１の関節面の長手方向の軸の近傍でかつこれと平行に、縫合糸の通過のための少なくとも１つの穴が設けられている。
【００１８】
本発明は、その原理に従った人工肘の２つの実施形態についての以下の説明を図面を参照して読むことにより、より即座に理解されるであろう。なお、これらの実施形態は単なる例示のためのものである。
【００１９】
【発明の実施の形態】
図面を参照すると、図１〜図６に示した人工器官すなわち人工肘はロッド１１を備えた上腕骨側部材１０を有している。ロッド１１は上腕骨Ｈの内部チャンネル内で動くように意図されたものであり、２つのタブ１２および１３に延びている。タブ１２および１３には軸を形成するネジ１４の通過のための穴１２ａ及び穴１３ａがそれぞれ穿たれている。穴１２ａはタップ加工されており、ネジ１４の雄ネジと協働できるようになっている。
【００２０】
ロッド１１はまた第３のタブ１５に延びており、このタブ１５は上腕骨Ｈの表層に当接して、ロッド１１の前方への傾きを防止するように意図されたものである。
【００２１】
細長部材１６は中心に穴１６ａを有し、その寸法はネジ１４を受け入れることができるように設定されている。細長部材１６は２つの端面１６ｂ及び１６ｃを有し、これらはネジ１４を穴１３ａ、１６ａ及び１２ａに通した状態で、タブ１２及び１３の対向する面１２ｂ及び１３ｂにそれぞれ接するようになっている。
【００２２】
図３〜図６に示した状態において、タブ１３の端面１３ｃは細長部材１６の端部肩面１６ｄに当接している。同様に、タブ１２の端面１２ｃは細長部材１６に面１６ｂを越えて位置して設けられた補完的形状の面１６ｅに接触している。これによって、細長部材１６は、一方では面１３ｃと面１６ｄとの形状協働により、また他方では面１２ｃと面１６ｅとの形状協働によりネジ１４を中心とする回転が不能となっている。
【００２３】
細長部材１６の面１６ｂと面１６ｃとの間の部分はほぼ円筒状を成しており、同様に円筒状の関節面Ｓ１を形成している。この関節面Ｓ１の母線Ｇ１は凹状に湾曲しており、関節面Ｓ１の直径は、細長部材の面１６ｂと１６ｃとの間の部分の中央において、最小となっている。図中Ｘ１は関節面Ｓ１の対称軸を示し、Ｄ１はこの軸Ｘ１に沿って変化する直径を示し、Ｒ１は図７の面内における母線Ｇ１の曲率半径を示している。
【００２４】
細長部材１６は凸状の外面Ｓ４を有する延長部１６ｆを備えている。この延長部１６ｆは細長部材１６をタブ１２及び１３に取り付けたときにタブ１２を覆うようなかたちとなる。
【００２５】
上腕骨側部材１０は全体が金属で形成されている。
【００２６】
尺骨側部材２０は尺骨Ｃの内部チャンネルに挿入されるように意図された金属ロッド２１を有し、このロッド２１は凹状の同様に金属製のタブ２２に延びている。タブ２２内面には金属製の細長部材１６と摩擦接触する材料、例えばポリエチレンで形成されたライニング２３が設けられている。このライニング２３はタブ２２の側部のフィン２２ａを覆う戻り部分２３ａによる協働形状によってタブ２２に取り付けられている。ヘッドレスのネジ２４によってタブ２２とライニング２３とは互いに固定できるようになっている。
【００２７】
タブ２２にライニング２３を組み付けた状態が図２に示されている。ライニング２３はタブ２２に戻り部分２３ａがフィン２２ａを覆うかたちで係合しており、ライニング２３はタブ２２のボス２６の内側に形成されたストップ面２２ｂに当接するまで矢印Ｆ方向にスライドされる。ライニング２３が面２２ｂに当接したら、ネジ２４がライニング２３及びタブ２２に矢印Ｆ’で示したように挿入され、ねじ込まれる。タブ２２は従ってライニング２３に対してこれを取り囲む補強部材を構成する。
【００２８】
特にプラスチック材料で形成されたライニング２３と金属製のタブ２２とを利用した組み付けプロセスには以下のような利点が有る。
・ライニング２３の構成材料は数値制御装置に頼ることなく旋削だけで加工できるので、ライニング２３の加工が容易である。
・ライニング２３をタブ２２に対して非常に有効に保持させることができる。・金属で形成されたタブ２２の両側に例えばポリエチレンで形成されたライニング２３が多く存在するので、関節運動の際の、金属の細長部材１６とタブ２２とのいかなる接触も防止できる。
【００２９】
上記の組み付け形態は非常に有利であるが、タブ２２とライニング２３との相対的な動きの固定は特にブロッキング(blocking)やクリンピング(crimping)やクリッピング(clipping)のような他の手段によっても行うことができる。
【００３０】
人工肘が取付位置に位置したときに尺骨側部材２０近傍を通る組織と干渉しないようにするため、ライニング２３の側部にはノッチ２３ｂが設けられている。
【００３１】
ライニング２３の内面は関節面Ｓ１を補完する形状の円弧状の関節面Ｓ２を形成している。また図中Ｘ２はタブ２２とライニング２３との中心軸を、Ｄ２は面Ｓ２の直径を示しており、この直径は軸Ｘ２に沿って変化している。軸Ｘ２に平行な面内の断面において関節面Ｓ２は凸状をなし、その母線Ｇ２は凸状に湾曲しており、また母線Ｇ２の曲率中心はタブ２２の側すなわち軸Ｘ２と反対側に位置している。Ｒ２は母線Ｇ２の曲率半径を示している。
【００３２】
関節面Ｓ１とＳ２の直径Ｄ１とＤ２及び曲率半径Ｒ１とＲ２はそれぞれほぼ等しい。一方ではＤ１とＤ２の値が僅かに異なること、また他方ではＲ１とＲ２の値が僅かに異なることによって、半径方向の作用隙間Ｊ及び長手方向の作用隙間Ｊ’ができ、これらの隙間は図解を明瞭にするため図７において誇張して示してある。小さな値のこれらの作用隙間Ｊ及びＪ’によって、尺骨側部材２０の上腕骨側部材１０に対する相対的な内反−外反運動と軸方向の回転とが可能になっている。
【００３３】
関節面Ｓ１及びＳ２の寸法と方向とは、図３及び図４に示すように尺骨側部材２０が関節面Ｓ１の一部の周囲に位置するように設定されている。この状態では、ライニング２３は図４に示すように細長部材１６の外周を角度αで部分的に取り囲んでおり、角度αは図４に示すように関節面Ｓ１と面Ｓ２とが重なり合う範囲であって、約１８０゜よりも小さい。角度αを１８０゜よりも小さくしたのは細長部材１６へ尺骨側部材２０を配置できるようにするためである。関節面Ｓ１と面Ｓ２との間の作用隙間Ｊ及びＪ’によって、細長部材１６への尺骨部材２０の自由な組付けを阻害することなく、角度αを１８０゜よりも大きくすることができる。
【００３４】
この構成によって、人工肘はいわゆるスライド式人工肘と同様に機能する。
外科医が関節の腱と靱帯の状態が良好であり、関節が脱臼する危険が殆どないということが分かった場合、人工肘は図３及び図４の形態で利用できる。
【００３５】
本発明の人工関節すなわち人工肘は尺骨側部材２０に取り付けられるように意図されたロック部材３０を利用することによってさらに安全性が与えられる。ロック部材３０は補強部材３２とライニング３３とにより構成されており、これらはタブ２２とライニング２３とにおけると同様なフィンと戻り部分と、図６に示したヘッドレスのネジ３４とによって互いに位置を固定されている。ライニング３３は細長部材１６と摩擦接触する例えばポリエチレンのような材料で形成されており、この材料はライニング２３の材料と同一であるのが有利である。ライニング３３は図２を参照して説明したと同様な組み付け形態で補強部材３２に取り付けられている。
【００３６】
ライニング３３の側部にはノッチ３３ｂが設けられている。このノッチ３３ｂは、ロック部材３０が取付位置にあるときにノッチ２３ｂと直径方向に対向するものであり、ノッチ２３ｂと同様な機能を有している。
【００３７】
ライニング３３の内面は第３の関節面Ｓ３を形成しており、その母線は関節面Ｓ２に対応している。より正確には、関節面Ｓ２の母線と関節面Ｓ３の母線はほぼ一致しており、ロック部材３０を尺骨側部材２０に取り付けたときに関節面Ｓ３が関節面Ｓ２と面一で延びるようになっている。この構成により、図５及び図６に示すように、尺骨側部材２０とロック部材３０とにより形成される関節面Ｓ２と関節面Ｓ３とが関節面Ｓ１を取り囲み、軸Ｘ１と軸Ｘ２とは、関節面Ｓ１と関節面Ｓ２，Ｓ３組との間の半径方向及び長手方向の作用隙間Ｊ及びＪ’の値により決定される距離と角度で、互いに横方向及び回転方向に変位できる。これらの関節面Ｓ１，Ｓ２及びＳ３の組合せによって以下の効果が得られる。
・上腕骨側部材１０と尺骨側部材２０との相対位置がどのようなものであっても、細長部材１６と尺骨側部材２０との間もしくは細長部材１６と尺骨側部材２０及びロック部材３０との間に十分な接触面が得られる。
・これらの部材によっていかなる作用が行われようとも内反−外反運動と軸まわりの回転の可能性が与えられる。
・上腕骨に対する尺骨の中外側の動きが可能となる。
・上腕骨に対する尺骨の前後の動きが可能となる。
【００３８】
図６の面内において、関節面Ｓ２とＳ３とは２７０゜程度の角度βにわたって関節面Ｓ１を取り囲んでいる。事実、ロック部材３０によって与えられるロック機能は角度βが１８０゜以上であれば有効に行われる。角度βが２２５゜〜３１５゜の間で満足のいく結果が得られており、この角度は１９０゜〜３６０゜の範囲に広げることも可能である。
【００３９】
角度βが１８０゜よりも大きければ関節面Ｓ１と関節面Ｓ２及び関節Ｓ３との協働によって関節の脱臼を防止できかつ横方向のスライドによる内反−外反運動及び／もしくは面Ｓ２とＳ３の面Ｓ１に対する回動が依然として可能となる。
【００４０】
ロック部材３０の尺骨側部材２０への組付けはタブ２２に設けられたボス２６にタップ穴２５を設け、一方、補強部材３２にタップ穴２５に螺合するネジ３６を受け入れるためのハウジング３５を設けることによって行うことができる。別の解決策として、補強部材３２にタップ穴を設け、一方、ネジヘッドを受容するハウジングをタブ２２に設けても良い。またそれ以外の固定手段を考えることができ、特に切頭スタッドやほぞと溝穴とによる組付けが考えられる。
【００４１】
図５及び図６の構造において、尺骨側部材２０及びロック部材３０の自由端２０ａと自由端３０ａとの間の距離ｄは関節面Ｓ１の最小直径Ｄよりも小さくなっており、ロック部材３０によって所望のロックを行えるようになっている。
【００４２】
Ｘ３はロッド１１の長手方向軸を示し、ｄ’は図４及び図６の面内における軸Ｘ１と軸Ｘ３との間の変位を示している。このｄ’の値は患者の体型に依存するパラメータである。
【００４３】
本発明の有利ではあるが必須ではない構成として、図１に１６ａ’及び１６ａ”で示した破線のように中心穴１６ａが軸Ｘ１に対して多かれ少なかれ偏位した様々な細長部材１６を利用してｄ’の値を調節することができる。これによって、外科医はロッド１１を尺骨内でテストした後に、中心穴が軸Ｘ１に対して様々に偏位した多数の細長部材１６から、滑車の解剖学的位置に最も対応したものを選択することができる。
【００４４】
いずれの場合においても、タブ１２及び１３の面１２ｃ及び１３ｃは細長部材１６の対応する面１６ｄ及び１６ｅにそれぞれ当接する。
【００４５】
同様な結果を得るために他にも様々な変形が可能であり、特に部材１１〜１５を形成する部品として様々な形状のものを利用することで、穴１２ａと１３ａとを軸Ｘ３に対して様々に偏位させることができる。この場合には細長部材１６は一つのものが共通利用できる。
【００４６】
もう一つの変形例によれば、部材１１〜１６は一体で形成され、様々なｄ’を有する様々な一体アッセンブリで人工肘を構成する。それによって、外科医はまず一時的な仮想の人工肘を配置してテストした後に、これらの一体アッセンブリから最も最適なものを選択できる。
【００４７】
実際上、ｄ’の調節モードをどのように考えたとしても、図１の実線で示した中間位置から５ｍｍ前後の幅で大部分の手術の場合をカバーできる。
【００４８】
とう骨Ｒの内部チャンネル内に挿入されるように意図されたロッド４１と、例えばポリエチレンのようなプラスチック材料で形成され金属製の筒４２によって取り囲まれたヘッド４３とを有するとう骨側部材４０が設けられている。ヘッド４３には細長部材１６の関節面Ｓ４に当接するための凹状関節面Ｓ５が形成されている。この構造によって、本発明の人工肘が完全な人工肘となる。
【００４９】
本発明の変形例（図示しない）によれば、人工肘はとう骨側部材を有さないということにおいて部分的なものである。この場合、とう骨の解剖学的ヘッドは金属面Ｓ４上で直接関節運動を行う。
【００５０】
図８に示した本発明の第２の実施形態において、第１の実施形態のものと同様な部材には同一参照番号が付してある。シュー２３ｄがライニング２３の一端から延びて尺骨側部材２０と接触している。このシュー２３ｄの内面Ｓ６は関節面Ｓ２の接線方向に延びて、人工肘の脱臼に対する付加的な保護装置を構成しており、尺骨側部材２０に対して図中破線で示した位置に取り付けられるロック部材３０が有る場合でも無い場合でも利用できる。この構成によって、第１実施形態の場合よりもロック機能をさらに改善することができる。
【００５１】
有利ではあるが必須のものではない構成として、ネジ１４に長手方向の軸穴１４ａを設けて、肘の曲げ軸上に位置する解剖学的固定点の近傍で靱帯構造を人工器官或いは骨に接触状態で取り付けるための縫合糸が通過できるようにしても良い。同様な穴を、特に上記の一体構造の変形例において、細長部材１６に軸Ｘ１の近傍でそれに平行に設けることもできる。
【００５２】
本発明による上記の実施形態のいずれにおいても適用可能な変形例としては、関節面Ｓ１とＳ２との間の隙間或いは関節面Ｓ１と関節面Ｓ２，Ｓ３組との間の隙間を直径方向のみとし、或いは逆に直径方向の隙間を全くなくすか非常に僅かな直径方向隙間とする構成が有り、この場合の作用隙間は長手方向だけとなる。前者の場合には内反−外反方向の動き及び回転に対する良好な抵抗が得られて、横方向の動きが妨げられる。後者の場合には作動は正しく行われるが、関節面Ｓ１，Ｓ２及びＳ３における或る程度の摩耗が予想される。
【図面の簡単な説明】
【図１】本発明の第１の実施形態による人工肘の分解斜視図である。
【図２】組付け過程における図１の人工肘の尺骨側部材の斜視図である。
【図３】第１の形態の図１の人工肘を伸びた肘に取り付けた状態を示す正面図である。
【図４】図３のIV-IV線に沿う断面図である。
【図５】第２の形態の人工肘を取り付けた状態を示す図３と同様な正面図である。
【図６】図５のVI-VI線に沿う断面図である。
【図７】図１〜図６の人工肘の或る接触面を長手方向の断面において拡大して示した概略図である。
【図８】本発明の第２の実施形態による人工肘を示す、図４と同様な部分断面図である。
【符号の説明】
１０ 上腕骨側部材
１１ ロッド１１
１２，１３，１５ タブ
１２ａ，１３ａ，１６ａ 穴
１４ ネジ（軸）
１６ 細長部材
２０ 尺骨側部材
２０ａ，３０ａ 自由端
２１ ロッド
２２ タブ
２３ ライニング
２２ａ フィン
２３ａ 戻り部分
２４ ネジ
３０ ロック部材
３２ 補強部材
３３ ライニング
４０ とう骨側部材
Ｈ 上腕骨
Ｃ 尺骨
Ｓ１，Ｓ２，Ｓ３，Ｓ４，Ｓ５ 関節面
Ｇ１，Ｇ２ 母線
Ｘ１，Ｘ２ 軸
Ｄ，Ｄ１，Ｄ２ 直径
Ｒ１，Ｒ２ 曲率半径
Ｊ，Ｊ' 作用隙間
α，β 角度
ｄ 距離
ｄ' 変位
Ｒ とう骨
【図１】
0004166413.tif 000002
【図２】
0004166413.tif 000003
【図３】
0004166413.tif 000004
【図４】
0004166413.tif 000005
【図５】
0004166413.tif 000006
【図６】
0004166413.tif 000007
【図７】
0004166413.tif 000008
【図８】
0004166413.tif 000009